(57)【要約】      （修正有）【課題】レーザ光照射による情報記録領域よりも印字や描画することができる領域を内周側に拡大した光情報記録媒体において、レーベル面側から見たときの明度の差を緩和する。【解決手段】円板状の光透過性基板１２と、この光透過性基板の主面上のプリグルーブ１２ａが形成された領域とダミーグルーブ１２ｂが形成された領域の一部とに亘って設けられた記録層１３と、この記録層１３上と光透過性基板上の色素材料が未塗布の領域とに亘って設けられた反射層１４とを備える光ディスク本体１１と、このレーベル面側に設けられたインク受理層１９とを有するものであり、色素材料が未塗布の領域の少なくとも一部はプリグルーブのピッチＰ１２ａよりも大きいピッチＰ１２ｂでダミーグルーブが設けられている。【選択図】図１
2008117511.tif 000002
【特許請求の範囲】
【請求項１】
中央に孔を有し、一方の主面において情報記録領域に設けられたプリグルーブと該情報記録領域の内周側に設けられたダミーグルーブとを有する光透過性基板と、該光透過性基板の前記主面上の前記プリグルーブが形成された領域と前記ダミーグルーブが形成された領域の一部とに亘って色素材料が塗布されて設けられた記録層と、該記録層上と前記光透過性基板上の前記色素材料が未塗布の領域とに亘って設けられた反射層とを備え、前記反射層の表面には前記プリグルーブを反映した溝と前記ダミーグルーブを反映した溝とを有するとともに、
前記光透過性基板は、前記ダミーグルーブが形成された領域のうちの色素材料が未塗布の領域の少なくとも一部において、前記光透過性基板の情報記録領域のプリグルーブのピッチよりも大きいピッチで前記ダミーグルーブが設けられていることを特徴とする光情報記録媒体。
【請求項２】
前記光透過性基板は、ダミーグルーブが形成された領域のうちの色素材料が未塗布の領域において、前記光透過性基板の情報記録領域のプリグルーブのピッチよりも大きいピッチで前記ダミーグルーブが設けられていることを特徴とする請求項１記載の光情報記録媒体。
【請求項３】
中央に孔を有し、一方の主面において情報記録領域に設けられたプリグルーブと該情報記録領域の内周側に設けられたダミーグルーブとを有する光透過性基板と、該光透過性基板の前記主面上の前記プリグルーブが形成された領域と前記ダミーグルーブが形成された領域の一部とに亘って色素材料が塗布されて設けられた記録層と、該記録層上と前記光透過性基板上の前記色素材料が未塗布の領域とに亘って設けられた反射層とを備え、前記反射層の表面には前記プリグルーブを反映した溝と前記ダミーグルーブを反映した溝とを有するとともに、
前記光透過性基板は、ダミーグルーブが形成された領域のうちの色素材料が未塗布の領域において、前記光透過性基板の情報記録領域のプリグルーブの深さよりも浅い深さで前記ダミーグルーブが設けられていることを特徴とする光情報記録媒体。
【請求項４】
中央に孔を有し、一方の主面において情報記録領域に設けられたプリグルーブと該情報記録領域の内周側に設けられたダミーグルーブとを有する光透過性基板と、該光透過性基板の前記主面上の前記プリグルーブが形成された領域と前記ダミーグルーブが形成された領域の一部とに亘って色素材料が塗布されて設けられた記録層と、該記録層上と前記光透過性基板上の前記色素材料が未塗布の領域とに亘って設けられた反射層とを備え、前記反射層の表面には前記プリグルーブを反映した溝と前記ダミーグルーブを反映した溝とを有するとともに、
前記光透過性基板は、ダミーグルーブが形成された領域のうちの色素材料が未塗布の領域において、前記光透過性基板の情報記録領域のプリグルーブの半値幅（溝の深さの１／２の地点における溝の幅）よりも狭い半値幅で前記ダミーグルーブが設けられていることを特徴とする光情報記録媒体。
【請求項５】
前記光透過性基板は、少なくとも前記反射層の内周側の縁部の位置より内周側まで前記ダミーグルーブが形成された領域を有することを特徴とする請求項１〜４のいずれかに記載の光情報記録媒体。
【発明の詳細な説明】
【技術分野】
【０００１】
本発明は、ディスク状の光情報記録媒体であって、該光情報記録媒体のレーベル面（光入射面とは反対側の面）側に印字や描画することができる光情報記録媒体に関し、より具体的にはレーザ光照射により情報を記録することができる情報記録領域よりも前記印字や描画することができる領域を内周側に拡大したタイプの光情報記録媒体に関する。
【背景技術】
【０００２】
ＣＤ−Ｒ、ＤＶＤ±Ｒ、ＨＤ−ＤＶＤ−Ｒ、ＢＤ（ブルーレイディスク）等のディスク状の光情報記録媒体においては、光透過性基板の一方の面上に記録層及び反射層を形成した構造を有し、前記光透過性基板の他方の面側からレーザ光が照射されて前記記録層にデータ記録されるように構成されている。また、前記光情報記録媒体のレーザ光が照射される面とは反対側の面は、通常レーベル面として利用されており、その表面に文字、記号、図形、模様またはこれらの組合せ等が可視情報として印刷等により表示される。
【０００３】
このような光情報記録媒体として、前記表示をインクジェットプリンタ等により行うものが各種提案されている。例えば特許文献１には、円板状の光透過性基板のクランピングエリアに対応する部分にダミーグルーブを設けるとともに反射層を設け、さらにその反射層又は他の基板の対応する部分に被画像形成層を設けた光情報記録媒体が提案されている。上記クランピングエリアは、例えば光透過性基板の中央に半径７．５ｍｍで設けられた孔の周囲に前記光透過性基板の中心から半径２２ｍｍ未満の範囲内とされ、その外側にはトラッキングガイド用のプリグルーブが形成された情報記録領域が設けられている。
【特許文献１】特開２００４−１３９６９７号公報
【発明の開示】
【発明が解決しようとする課題】
【０００４】
しかしながら、上記の背景技術に示される光情報記録媒体の被画像形成領域をさらに広げるために、例えば図５に示すように記録層３上に設けられる反射層４をその内周側が少なくとも前記記録層３の内周側の縁部３ａを越えて前記ダミーグルーブ２ｂ上に至るように形成すると、プリグルーブ２ａ形成領域上に前記記録層３を介して設けられた反射層４の表面の溝４ａの深さに比較して前記ダミーグルーブ２ｂ形成領域上に前記記録層３を介さずに設けられた反射層４の表面の溝４ｂの深さが深いために該表面の（単位面積当たりの）可視光の反射の強さが前者に比べて低下し、レーベル面側から見たときにインク受理層９の内周側の縁部の近傍（ミラー部４ｄに隣接した部分）に環状に明度の低下した部分が生じてしまうと言う課題があった。
【０００５】
本発明の目的は、以上の点に着目したもので、レーベル面側から見たときの明度の差を緩和することが可能な光情報記録媒体を提供することを目的とする。
【課題を解決するための手段】
【０００６】
前記目的を達成するため、本発明は、（１）中央に孔を有する光情報記録媒体であって、一方の主面には情報記録領域に設けられたプリグルーブと該情報記録領域の内周側に設けられたダミーグルーブとを有する光透過性基板と、該光透過性基板の前記主面上の前記プリグルーブが形成された領域と前記ダミーグルーブが形成された領域の一部とに亘って色素材料が塗布されて設けられた記録層と、該記録層上と前記光透過性基板上の前記色素材料が未塗布の領域とに亘って設けられた反射層とを備え、前記反射層の表面には前記プリグルーブを反映した溝と前記ダミーグルーブを反映した溝とを有する。そして、前記光透過性基板は、ダミーグルーブが形成された領域のうちの色素材料が未塗布の領域の少なくとも一部において、前記光透過性基板の情報記録領域のプリグルーブのピッチよりも大きいピッチで前記ダミーグルーブが設けられている。（・・・以下、本発明の第１の課題解決手段と称する。）
【０００７】
また、上記光情報記録媒体の主要な形態の一つは、上記第１の課題解決手段に加えて、さらに、（２）前記光透過性基板が、ダミーグルーブが形成された領域のうちの色素材料が未塗布の領域において、前記光透過性基板の情報記録領域のプリグルーブのピッチよりも大きいピッチで前記ダミーグルーブが設けられている。（・・・以下、本発明の第２の課題解決手段と称する。）
【０００８】
また、本発明は、（３）中央に孔を有する光情報記録媒体であって、一方の主面には情報記録領域に設けられたプリグルーブと該情報記録領域の内周側に設けられたダミーグルーブとを有する光透過性基板と、該光透過性基板の前記主面上の前記プリグルーブが形成された領域と前記ダミーグルーブが形成された領域の一部とに亘って色素材料が塗布されて設けられた記録層と、該記録層上と前記光透過性基板上の前記色素材料が未塗布の領域とに亘って設けられた反射層とを備え、前記反射層の表面には前記プリグルーブを反映した溝と前記ダミーグルーブを反映した溝とを有するとともに、前記光透過性基板は、ダミーグルーブが形成された領域のうちの色素材料が未塗布の領域において、前記光透過性基板の情報記録領域のプリグルーブの深さよりも浅い深さで前記ダミーグルーブが設けられている。（・・・以下、本発明の第３の課題解決手段と称する。）
【０００９】
また、本発明は、（４）中央に孔を有する光情報記録媒体であって、一方の主面には情報記録領域に設けられたプリグルーブと該情報記録領域の内周側に設けられたダミーグルーブとを有する光透過性基板と、該光透過性基板の前記主面上の前記プリグルーブが形成された領域と前記ダミーグルーブが形成された領域の一部とに亘って色素材料が塗布されて設けられた記録層と、該記録層上と前記光透過性基板上の前記色素材料が未塗布の領域とに亘って設けられた反射層とを備え、前記反射層の表面には前記プリグルーブを反映した溝と前記ダミーグルーブを反映した溝とを有するとともに、前記光透過性基板は、ダミーグルーブが形成された領域のうちの色素材料が未塗布の領域において、前記光透過性基板の前記情報記録領域のプリグルーブの半値幅（溝の深さの１／２の地点における溝の幅）よりも狭い半値幅で前記ダミーグルーブが設けられている。（・・・以下、本発明の第４の課題解決手段と称する。）
【００１０】
また、上記光情報記録媒体の主要な形態の一つは、上記第１〜第４のいずれかの課題解決手段に加えて、さらに、（５）前記光透過性基板が、少なくとも前記反射層の内周側の縁部の位置より内周側まで前記ダミーグルーブが形成された領域を有する。（・・・以下、本発明の第５の課題解決手段と称する。）
【００１１】
上記第１の課題解決手段による作用は次の通りである。すなわち、前記光透過性基板は、ダミーグルーブが形成された領域のうちの色素材料が未塗布の領域の少なくとも一部において、前記光透過性基板の情報記録領域のプリグルーブのピッチよりも大きいピッチで前記ダミーグルーブが設けられているので、前記プリグルーブが形成された領域上に前記記録層を介して設けられた反射層の表面の単位面積当たりの可視光の反射の強さと前記ダミーグルーブが形成された領域のうちの色素材料が未塗布の領域上に設けられた反射層の表面の単位面積当たりの可視光の反射の強さとの差が減少する。
【００１２】
より具体的には、前記プリグルーブが形成された領域上に前記記録層を介して設けられた反射層の表面における（単位面積当たりの）可視光の反射の強さに比べて、前記ダミーグルーブが形成された領域のうちの色素材料が未塗布の領域上に設けられた反射層の表面における（単位面積当たりの）可視光の反射の強さを低下させる溝の（単位面積当たりの）存在頻度が減少するので、（単位面積当たりの）可視光の反射の低下の度合いを減少させることができる。
【００１３】
また、上記第２の課題解決手段による作用は次の通りである。すなわち、前記光透過性基板は、ダミーグルーブが形成された領域のうちの色素材料が未塗布の領域において、前記光透過性基板の情報記録領域のプリグルーブのピッチよりも大きいピッチで前記ダミーグルーブが設けられているので、前記光透過性基板は、ダミーグルーブが形成された領域のうちの色素材料が未塗布の領域上に形成される反射層の表面において前記ダミーグルーブを反映した溝による（単位面積当たりの）可視光の反射の低下の度合いをより効果的に減少させることができる。
【００１４】
また、上記第３の課題解決手段による作用は次の通りである。すなわち、前記光透過性基板は、ダミーグルーブが形成された領域のうちの色素材料が未塗布の領域において、前記光透過性基板の情報記録領域のプリグルーブの深さよりも浅い深さで前記ダミーグルーブが設けられているので、前記プリグルーブが形成された領域上に前記記録層を介して設けられた反射層の表面における単位面積当たりの可視光の反射の強さと前記ダミーグルーブが形成された領域のうちの色素材料が未塗布の領域上に設けられた反射層の表面における単位面積当たりの可視光の反射の強さとの差が減少する。
【００１５】
より具体的には、前記プリグルーブが形成された領域上に前記記録層を介して設けられた反射層の表面における（単位面積当たりの）可視光の反射の強さに比べて、前記ダミーグルーブが形成された領域のうちの色素材料が未塗布の領域上に設けられた反射層の表面における（単位面積当たりの）可視光の反射の強さを低下させる溝の深さが減少するので、（単位面積当たりの）可視光の反射の低下の度合いを減少させることができる。
【００１６】
また、上記第４の課題解決手段による作用は次の通りである。すなわち、前記光透過性基板は、ダミーグルーブが形成された領域のうちの色素材料が未塗布の領域において、前記光透過性基板の情報記録領域のプリグルーブの半値幅よりも狭い半値幅で前記ダミーグルーブが設けられているので、前記プリグルーブが形成された領域上に前記記録層を介して設けられた反射層の表面における単位面積当たりの可視光の反射の強さと前記ダミーグルーブが形成された領域のうちの色素材料が未塗布の領域上に設けられた反射層の表面における単位面積当たりの可視光の反射の強さとの差が減少する。
【００１７】
より具体的には、前記プリグルーブが形成された領域上に前記記録層を介して設けられた反射層の表面における（単位面積当たりの）可視光の反射の強さに比べて、前記ダミーグルーブが形成された領域のうちの色素材料が未塗布の領域上に設けられた反射層の表面における（単位面積当たりの）可視光の反射の強さを低下させる溝の（単位面積当たりの）存在比率が減少するので、（単位面積当たりの）可視光の反射の低下の度合いを減少させることができる。
【００１８】
また、上記第５の課題解決手段による作用は次の通りである。すなわち、上記第１〜第４のいずれかの課題解決手段に加えて、さらに、前記光透過性基板が、少なくとも前記反射層の内周側の縁部の位置より内周側まで前記ダミーグルーブが形成された領域を有するので、さらに反射層の内周側の縁部近傍に再び可視光の反射が強まる領域が生じるのを抑制することができる。このため、需要者がレーベル面側から見たときに明度の差に気付きにくくすることができる。
【発明の効果】
【００１９】
本発明の光情報記録媒体によれば、反射層の表面の（単位面積当たりの）可視光の反射の低下の度合いを減少させることができるので、レーベル面側から見たときの明度の差を緩和することができる。
本発明の前記目的とそれ以外の目的、構成特徴、作用効果は、以下の説明と添付図面によって明らかとなろう。
【発明を実施するための最良の形態】
【００２０】
以下、本発明の光情報記録媒体の第１の実施形態について、図１を参照して説明する。図１は第１の実施形態の光情報記録媒体１０の内部構造の概要を示す部分拡大断面図である。
【００２１】
図１に示すように、本実施形態の光情報記録媒体１０は、光ディスク本体１１と、該光ディスク本体１１上に接着剤層１６を介してダミー基板１７が設けられ、該ダミー基板１７の上には下地層１８及びインク受理層１９が設けられた所謂ＤＶＤ−Ｒ構造を有するものである。
【００２２】
より具体的には、前記光ディスク本体１１は、中央に孔１２ｃを有し、一方の主面には情報記録領域に設けられたプリグルーブ１２ａと該情報記録領域の内周側に設けられたダミーグルーブ１２ｂとを有する光透過性基板１２を備える。そして、該光透過性基板１２の前記主面上の前記プリグルーブ１２ａが形成された領域と前記ダミーグルーブ１２ｂが形成された領域の一部とに亘って色素材料が塗布されて設けられた記録層１３と、該記録層１３上と前記光透過性基板１２上のダミーグルーブが形成された領域のうちの前記記録層１３の内周側の縁部１３ａを越えてさらに内周側の前記色素材料が未塗布の領域とに亘って設けられた反射層１４とを備える。そして、該反射層１４の表面には前記プリグルーブ１２ａを反映した溝１４ａと前記ダミーグルーブ１２ｂを反映した溝１４ｂとを有する。そして、前記光透過性基板１２は、ダミーグルーブ１２ｂが形成された領域のうちの色素材料が未塗布の領域の少なくとも一部において、前記光透過性基板１２の情報記録領域のプリグルーブ１２ａのピッチＰ１２ａよりも大きいピッチＰ１２ｂで前記ダミーグルーブ１２ｂが設けられている。
【００２３】
また、本実施形態は、前記光透過性基板１２が、ダミーグルーブ１２ｂが形成された領域のうちの色素材料が未塗布の領域において、前記光透過性基板１２の情報記録領域のプリグルーブ１２ａのピッチＰ１２ａよりも大きいピッチＰ１２ｂで前記ダミーグルーブ１２ｂが設けられている。
【００２４】
また、本実施形態は、前記光透過性基板１２が、少なくとも前記反射層１４の内周側の縁部１４ｃの位置より内周側まで前記ダミーグルーブ１２ｂが形成された領域を有する。
【００２５】
次に、上記光透過性基板１２の好ましい実施形態は次の通りである。すなわち、上記光透過性基板１２としては、ポリカーボネート、ポリメチルメタクリレート、アクリル樹脂等の透明樹脂で構成されており、射出成形法等の手段で所定形状（光ディスクならドーナツ形状）の光透過性基板１２に成形されたものである。また、これに限らず、紫外線硬化性樹脂を用いることもできる。厚みは０．６ｍｍ未満であることが好ましい。
【００２６】
次に、上記プリグルーブ１２ａの好ましい実施形態は次の通りである。すなわち、上記プリグルーブ１２ａとしては、上記光透過性基板１２の射出成型時に同時に形成することが好ましく、そのピッチは標準で０．７４μｍである。
【００２７】
次に、上記ダミーグルーブ１２ｂの好ましい実施形態は次の通りである。すなわち、上記ダミーグルーブ１２ｂとしては、上記プリグルーブ１２ａの内周側に、前記プリグルーブ１２ａと連続もしくは独立して設けることができる。また、上記ダミーグルーブ１２ｂは、プリグルーブ１２ａと同様に内周から外周に亘って周回状に連続するものであってもよいが、これに限定するものではなく、例えば複数の円環状のグルーブを同心状に配列したものであってもよい。また、上記ダミーグルーブ１２ｂの形成は、上記プリグルーブ１２ａと同様に、上記光透過性基板１２の射出成型時に同時に形成することが好ましい。
【００２８】
次に、上記記録層１３の好ましい実施形態は次の通りである。すなわち、上記記録層１３としては、有機色素を含むものであり、所定の波長のレーザ光の照射によりピットが形成されデータが記録される。前記有機色素としてはフタロシアニン色素、シアニン色素、アゾ系色素等が好ましい。該記録層１３には、上記レーザ光の照射により音楽や画像、コンピュータプログラム等のデータ情報を記録及び／又は再生することができる。また、上記記録層１３は、上記色素を含む溶液やインク等の色素材料を上記光透過性基板１２上にスクリーン印刷法やスピンコート法等の手段により塗布して設けることが好ましい。
【００２９】
次に、上記反射層１４の好ましい実施形態は次の通りである。すなわち、上記反射層１４としては、データの記録および／または再生用のレーザ光を反射させるものであり、Ａｕ，Ａｌ，Ａｇ，ＣｕあるいはＰｄ等の金属膜、これらの金属の合金膜あるいはこれらの金属に微量成分が添加された合金膜等が好ましく、スパッタリングや真空蒸着等の手段により前記記録層の上に形成される。
【００３０】
次に、上記接着剤層１６の好ましい実施形態は次の通りである。すなわち、上記接着剤層１６としては、エポキシ系その他の反応性硬化樹脂を主成分とするものが好ましく、スピンコート法やスクリーン印刷法等の手段により前記光ディスク本体の記録層上及び／又は前記ダミー基板の下面に塗布した後、前記光ディスク本体と前記ダミー基板とが接着剤層１６により接合され、２枚の基板を貼り合わせたディスク状の光情報記録媒体が得られる。
【００３１】
次に、上記ダミー基板１７の好ましい実施形態は次の通りである。すなわち、上記ダミー基板１７としては、前記光透過性基板１２と同じ材質を用いることができる。これによりＤＶＤ−Ｒの貼り合わせ工程を流用して光透過性基板１２上に作成した情報記録領域と前記ダミー基板１７上に形成した下地層１８及びインク受理層１９を一体化できる。
【００３２】
次に、上記下地層１８の好ましい実施形態は次の通りである。すなわち、上記下地層１８としては、紫外線硬化性樹脂と顔料とを主成分とするものが好ましく、例えば、紫外線硬化性樹脂と顔料とを含有する紫外線硬化型インクをスクリーン印刷法やスピンコート法等の手段により印刷し、その印刷膜を紫外線硬化させて形成することができる。
この下地層１８は、前記接着剤層１６、前記ダミー基板１７、及び後述するインク受理層１９がともに透明である場合に、前記反射層１４の金属光沢面が露出してしまうのを防止するために設けることが好ましい。
【００３３】
次に、上記インク受理層１９の好ましい実施形態は次の通りである。すなわち、上記インク受理層１９としては、紫外線硬化性樹脂を主成分とするものが好ましく、例えば前記紫外線硬化性樹脂と、そのほかのバインダー成分と、粘度調整剤と、顔料及びその他の成分とを混合して得られる紫外線硬化型インクをスクリーン印刷法やスピンコート法等の手段により印刷し、ついで紫外線を照射することにより硬化させて、前記ダミー基板１７上に直接もしくは前記下地層１８を介して形成される。
前記顔料としては、有機、無機の着色用顔料や、シリカ、アルミナ、水酸化アルミニウム、クレイ等の無機フィラー、あるいはアクリルビーズ、ナイロンビーズ、ゴム微粒子等の有機フィラー等が挙げられ、これらを単独種もしくは任意の複数種を併用してもよい。
【００３４】
次に、上記ダミーグルーブ１２ｂのピッチＰ１２ｂの好ましい実施形態は次の通りである。すなわち、上記ダミーグルーブ１２ｂのピッチＰ１２ｂとしては、少なくとも一部は、前記プリグルーブ１２ａのピッチＰ１２ａ（０．７４μｍが標準）よりも大きいピッチＰ１２ｂで形成されるのが好ましい。具体的には、前記ピッチＰ１２ｂは前記プリグルーブ１２ａのピッチＰ１２ａの２倍以上が好ましく、これより小さい場合には期待した効果が得られないため、１．５μｍ以上が好ましい。本実施形態においては３．０μｍとしたが、これに限定するものではなく、さらに大きくしてもよい。なお、上記ピッチＰ１２ｂを広げすぎると、後述する記録層を例えばスピンコート法を用いて塗布する際に、内周側の縁部を同心状に形成するのが難しくなるため、３００μｍ以下が好ましい。また、より好ましくは、上記ダミーグルーブ１２ｂのすべてが前記プリグルーブ１２ａのピッチＰ１２ａ（０．７４μｍが標準）の２倍以上大きいピッチＰ１２ｂで形成されることが好ましい。
尚、上記ダミーグルーブ１２ｂのすべてを等しいピッチＰ１２ｂで形成するのがこのましいが、これに限定するものではなく、例えば、複数のダミーグルーブ１２ｂ毎に前記プリグルーブ１２ａのピッチＰ１２ａより大きいピッチで形成するものであってもよい。
【００３５】
次に、本発明の光情報記録媒体の第２の実施形態について、図２を参照して説明する。図２は第２の実施形態の光情報記録媒体２０の内部構造の概要を示す部分拡大断面図である。
【００３６】
図２に示すように、本実施形態の光情報記録媒体２０は、光ディスク本体２１と、該光ディスク本体２１上に保護層２５が設けられ、該保護層２５の上には下地層２８及びインク受理層２９が設けられた所謂ＣＤ−Ｒ構造を有するものであり、接着剤層の代わりに保護層を備え、ダミー基板を有さない点で先の第１の実施形態と相違する。
【００３７】
より具体的には、前記光ディスク本体２１は、中央に孔２２ｃを有し、一方の主面には情報記録領域に設けられたプリグルーブ２２ａと該情報記録領域の内周側に設けられたダミーグルーブ２２ｂとを有する光透過性基板２２を備える。そして、該光透過性基板２２の前記主面上の前記プリグルーブ２２ａが形成された領域と前記ダミーグルーブ２２ｂが形成された領域の一部とに亘って色素材料が塗布されて設けられた記録層２３と、該記録層２３上と前記光透過性基板２２上のダミーグルーブが形成された領域のうちの前記記録層２３の内周側の縁部２３ａを越えてさらに内周側の前記色素材料が未塗布の領域とに亘って設けられた反射層２４とを備える。そして、前記反射層２４の表面には前記プリグルーブ２２ａを反映した溝２４ａと前記ダミーグルーブ２２ｂを反映した溝２４ｂとを有する。そして、前記光透過性基板２２は、ダミーグルーブ２２ｂが形成された領域のうちの色素材料が未塗布の領域の少なくとも一部において前記光透過性基板２２の情報記録領域のプリグルーブ２２ａのピッチＰ２２ａよりも大きいピッチＰ２２ｂ１で前記ダミーグルーブ２２ｂが設けられている。
【００３８】
より具体的には、複数のダミーグルーブ２２ｂ毎に前記プリグルーブ２２ａのピッチＰ２２ａより大きいピッチＰ２２ｂ１で形成したものであり、例えば該ダミーグルーブ２２ｂの形成領域には、ダミーグルーブ２２ｂが拡大されたピッチＰ２２ｂ１（３．０μｍ）で形成された部分と、ダミーグルーブ２２ｂが前記プリグルーブ２２ａのピッチＰ２２ａ（０．７４μｍ）と同じピッチＰ２２ｂ２で形成された部分とが交互に配設されている。
【００３９】
また、本実施形態は、前記光透過性基板２２が、少なくとも前記反射層２４の内周側の縁部２４ｃの位置より内周側まで前記ダミーグルーブ２２ｂが形成された領域を有するものである。
【００４０】
次に、上記保護層２５の好ましい実施形態は次の通りである。すなわち、上記保護層２５としては、スクリーン印刷法やスピンコート法等の手段により、紫外線硬化性樹脂を主成分とする樹脂液による樹脂膜が形成され、これが紫外線硬化されて保護層２５が形成されるのが好ましい。
その他の構成および作用効果は前記第１の実施形態と同様であるため説明を省略する。
【００４１】
次に、本発明の光情報記録媒体の第３の実施形態について、図３を参照して説明する。図３は第３の実施形態の光情報記録媒体３０の内部構造の概要を示す部分拡大断面図である。
【００４２】
図３に示すように、本実施形態の光情報記録媒体３０は、光ディスク本体３１と、該光ディスク本体３１上に接着剤層３６を介してダミー基板３７が設けられるとともに、該ダミー基板３７の上には下地層３８及びインク受理層３９が設けられた所謂ＤＶＤ−Ｒ構造を有する点で、先の第１の実施形態と同様である。
【００４３】
さらに具体的には、前記光ディスク本体３１は、中央に孔３２ｃを有し、一方の主面には情報記録領域に設けられたプリグルーブ３２ａと該情報記録領域の内周側に設けられたダミーグルーブ３２ｂとを有する光透過性基板３２を備える。そして、該光透過性基板３２の前記主面上の前記プリグルーブ３２ａが形成された領域と前記ダミーグルーブ３２ｂが形成された領域の一部とに亘って色素材料が塗布されて設けられた記録層３３と、該記録層３３上から前記光透過性基板３２上のダミーグルーブ３２ｂが形成された領域のうちの前記記録層３３の内周側の縁部３３ａを越えてさらに内周側の前記色素材料が未塗布の領域とに亘って設けられた反射層３４とを備える。そして、前記反射層３４の表面には前記プリグルーブ３２ａを反映した溝３４ａと前記ダミーグルーブ３２ｂを反映した溝３４ｂとを有する。そして、前記光透過性基板３２は、ダミーグルーブ３２ｂが形成された領域のうちの色素材料が未塗布の領域において、前記光透過性基板３２の情報記録領域のプリグルーブ３２ａの深さＤ３２ａよりも浅い深さＤ３２ｂで前記ダミーグルーブ３２ｂが設けられている。
【００４４】
また本実施形態は、前記光透過性基板３２が、少なくとも前記反射層３４の内周側の縁部３４ｃの位置より内周側まで前記ダミーグルーブ３２ｂが形成された領域を有する。
【００４５】
また、上記ダミーグルーブ３２ｂの深さＤ３２ｂの好ましい実施形態は次の通りである。すなわち、上記ダミーグルーブ３２ｂの深さＤ３２ｂとしては、前記光透過性基板３２のダミーグルーブ３２ｂが形成された領域のうちの色素材料が未塗布の領域は前記光透過性基板３２の情報記録領域のプリグルーブ３２ａの深さＤ３２ａよりも浅い深さＤ３２ｂで前記ダミーグルーブ３２ｂが設けられていることが好ましい。具体的には、前記深さＤ３２ｂは前記プリグルーブ３２ａの深さＤ３２ａよりも浅いことが好ましく、例えば前記プリグルーブ３２ａの深さＤ３２ａが１４０ｎｍである場合、これより小さいことが好ましい。
その他の構成および作用効果は前記第１の実施形態と同様であるため説明を省略する。
【００４６】
次に、本発明の光情報記録媒体の第４の実施形態について、図４を参照して説明する。図４は第４の実施形態の光情報記録媒体４０の内部構造の概要を示す部分拡大断面図である。
【００４７】
図４に示すように、本実施形態の光情報記録媒体４０は、光ディスク本体４１と、該光ディスク本体４１上に接着剤層４６を介してダミー基板４７が設けられるとともに、該ダミー基板４７の上には下地層４８及びインク受理層４９が設けられた所謂ＤＶＤ−Ｒ構造を有する点で、先の第１の実施形態と同様である。
【００４８】
さらに具体的には、前記光ディスク本体４１は、中央に孔４２ｃを有し、一方の主面には情報記録領域に設けられたプリグルーブ４２ａと該情報記録領域の内周側に設けられたダミーグルーブ４２ｂとを有する光透過性基板４２を備える。そして、該光透過性基板４２の前記主面上の前記プリグルーブ４２ａが形成された領域と前記ダミーグルーブ４２ｂが形成された領域の一部とに亘って色素材料が塗布されて設けられた記録層４３と、該記録層４３上から前記光透過性基板４２上のダミーグルーブ４２ｂが形成された領域のうちの前記記録層４３の内周側の縁部４３ａを越えてさらに内周側の前記色素材料が未塗布の領域とに亘って設けられた反射層４４とを備える。そして、前記反射層４４の表面には前記プリグルーブ４２ａを反映した溝４４ａと前記ダミーグルーブ４２ｂを反映した溝４４ｂとを有する。そして、前記光透過性基板４２は、ダミーグルーブ４２ｂが形成された領域のうちの色素材料が未塗布の領域において、前記光透過性基板４２の情報記録領域のプリグルーブ４２ａの半値幅Ｗ４２ａよりも狭い半値幅Ｗ４２ｂで前記ダミーグルーブ４２ｂが設けられている。
【００４９】
また本実施形態は、前記光透過性基板４２が、少なくとも前記反射層４４の内周側の縁部４４ｃの位置より内周側まで前記ダミーグルーブ４２ｂが形成された領域を有する。
【００５０】
また、上記ダミーグルーブ４２ｂの半値幅Ｗ４２ｂの好ましい実施形態は次の通りである。すなわち、上記ダミーグルーブ４２ｂの半値幅Ｗ４２ｂとしては、前記光透過性基板４２のダミーグルーブ４２ｂが形成された領域のうちの色素材料が未塗布の領域は前記光透過性基板４２の情報記録領域のプリグルーブ４２ａの半値幅Ｗ４２ａよりも狭い半値幅Ｗ４２ｂで前記ダミーグルーブ４２ｂが設けられていることが好ましい。具体的には、前記半値幅Ｗ４２ｂは前記プリグルーブ４２ａの半値幅Ｗ４２ａよりも狭いことが好ましく、例えば前記プリグルーブ４２ａの半値幅Ｗ４２ａが０．３５μｍである場合、これより狭いことが好ましい。
その他の構成および作用効果は前記第１の実施形態と同様であるため説明を省略する。
【００５１】
尚、上記実施形態では、ＤＶＤ−Ｒ構造の光情報記録媒体及びＣＤ−Ｒ構造の光情報記録媒体を示したが、本発明はこれに限定するものではなく、ＤＶＤ＋Ｒ構造、ＨＤ−ＤＶＤ、ＢＤ（ブルーレイディスク）その他各種の光情報記録媒体に適用することができる。
また、上記実施形態では、光ディスク本体として記録層が単層の光情報記録媒体の例を示したが、本発明はこれに限定するものではなく、例えば前記光透過性基板を厚み方向に複数層配設するとともにこれらの間に第２の記録層及び半透過反射層を設け、記録層を複数層備えた所謂多層記録方式の光情報記録媒体であってもよい。
この場合、複数設けられる光透過性基板のうち最もレーベル面側の光透過性基板に前記ダミーグルーブを設けることが好ましい。
また、上記のように光ディスク本体として記録層を複数層配設する場合には、例えば、一方の光透過性基板の前記第２の記録層及び半透過反射層が設けられた面側に、さらに他方の光透過性基板として透明樹脂層を設けるとともに該透明樹脂層の表面に前記プリグルーブ及び前記ダミーグルーブを型等で転写して形成してもよい。
【図面の簡単な説明】
【００５２】
【図１】本発明の光情報記録媒体の第１の実施形態の内部構造の概要を示す部分拡大断面図である。
【図２】本発明の光情報記録媒体の第２の実施形態の内部構造の概要を示す部分拡大断面図である。
【図３】本発明の光情報記録媒体の第３の実施形態の内部構造の概要を示す部分拡大断面図である。
【図４】本発明の光情報記録媒体の第４の実施形態の内部構造の概要を示す部分拡大断面図である。
【図５】本発明が解決しようとする課題を説明するための部分拡大断面図である。
【符号の説明】
【００５３】
１０：光情報記録媒体
１１：光ディスク本体
１２：光透過性基板
１２ａ：プリグルーブ
１２ｂ：ダミーグルーブ
１２ｃ：孔
１３：記録層
１３ａ：縁部
１４：反射層
１４ａ：溝
１４ｂ：溝
１４ｃ：縁部
１６：接着剤層
１７：ダミー基板
１８：下地層
１９：インク受理層
２０：光情報記録媒体
２１：光ディスク本体
２２：光透過性基板
２２ａ：プリグルーブ
２２ｂ：ダミーグルーブ
２２ｃ：孔
２３：記録層
２３ａ：縁部
２４：反射層
２４ａ：溝
２４ｂ：溝
２４ｃ：縁部
２５：保護層
２８：下地層
２９：インク受理層
３０：光情報記録媒体
３１：光ディスク本体
３２：光透過性基板
３２ａ：プリグルーブ
３２ｂ：ダミーグルーブ
３２ｃ：孔
３３：記録層
３３ａ：縁部
３４：反射層
３４ａ：溝
３４ｂ：溝
３４ｃ：縁部
３６：接着剤層
３７：ダミー基板
３８：下地層
３９：インク受理層
４０：光情報記録媒体
４１：光ディスク本体
４２：光透過性基板
４２ａ：プリグルーブ
４２ｂ：ダミーグルーブ
４２ｃ：孔
４３：記録層
４３ａ：縁部
４４：反射層
４４ａ：溝
４４ｂ：溝
４４ｃ：縁部
４６：接着剤層
４７：ダミー基板
４８：下地層
４９：インク受理層
Ｐ１２ａ：グルーブのピッチ
Ｐ１２ｂ：グルーブのピッチ
Ｐ２２ａ：グルーブのピッチ
Ｐ２２ｂ１：グルーブのピッチ
Ｐ２２ｂ２：グルーブのピッチ
Ｄ３２ａ：グルーブの深さ
Ｄ３２ｂ：グルーブの深さ
Ｗ４２ａ：グルーブの半値幅
Ｗ４２ｂ：グルーブの半値幅
【図１】
2008117511.tif 000003
【図２】
2008117511.tif 000004
【図３】
2008117511.tif 000005
【図４】
2008117511.tif 000006
【図５】
2008117511.tif 000007